(57)【要約】【課題】拡張又は縮小がより簡単に行え、保守（交換）や製造も容易である照明設備を提供すること。【解決手段】照明設備１は、正方形形状の第１の照明ピース１０と隣接させて並べた所定の第２の照明ピース２０と、隣接する照明ピース間を接合する照明ピース接合体６０とを少なくとも備える。第１の照明ピース１０は、正方形形状のプリント回路基板１１０と、プリント回路基板１１０の各側辺縁端部に配設する正電極部１２０及び負電極部１３０と、プリント回路基板１１０の四隅に搭載された４個の光源１４０とを備える。また、第２の照明ピース２０は、第１の照明ピース１０の隣接位置に第２の照明ピースを並べた場合に正電極部及び負電極部が対向する位置に配設されている。【選択図】図１
2017157450.tif 000002
【特許請求の範囲】
【請求項１】
所定の照明ピースを複数個接合して一体化した照明設備であって、
正方形形状のプリント回路基板と、前記プリント回路基板上の一方の面の各側辺縁端部に配置する正電極部及び負電極部と、前記プリント回路基板上の一方の面に搭載する光源とからなる第１の照明ピースと、
所定の多角形状のプリント回路基板と、前記プリント回路基板の一方の面の各側辺縁端部に配置する正電極部及び負電極部と、当該プリント回路基板上に搭載する光源とからなり、前記第１の照明ピースを構成するプリント回路基板の隣接位置に前記第２の照明ピースを構成するプリント回路基板を並べた場合に正電極部及び負電極部が対向する位置に配設されている第２の照明ピースと、
前記第１の照明ピースと前記第２の照明ピースの正電極部相互間及び負電極部相互間を直接又は間接的に接合する照明ピース接合体と、
を少なくとも備える照明設備。
【請求項２】
前記第２の照明ピースを構成するプリント回路基板の形状を、前記第１の照明ピースを構成するプリント回路基板と同一の正方形形状とし、かつ、前記第１の照明ピースを構成するプリント回路基板の一側辺に配設された前記正電極部の延長線上の対向位置に当該正電極部とは異なる他の正電極部を配設している請求項１の照明設備。
【請求項３】
前記第２の照明ピースを前記第１の照明ピースと同一とし、かつ、照明設備を構成する照明ピースのすべてを第１の照明ピースと同一とした請求項２の照明設備。
【請求項４】
前記第１の照明ピースのみで構成した請求項３の照明設備。
【請求項５】
前記第２の照明ピースを前記第１の照明ピースに隣接させて並べ、前記第１の照明ピースと前記第２の照明ピースの正電極部相互間及び負電極部相互間を直接前記照明ピース接合体で接合した請求項１から請求項４いずれかに記載の照明設備。
【請求項６】
前記第２の照明ピースを前記第１の照明ピースに隣接させずに配設し、前記第１の照明ピースと前記第２の照明ピースの正電極部相互間及び負電極部相互間を間接的に前記照明ピース接合体で接合した請求項１から請求項４いずれかに記載の照明設備。
【請求項７】
請求項１から請求項６いずれかの照明設備を構成する照明ピース。
【請求項８】
請求項７の照明ピースを構成するプリント回路基板の表面及び裏面を炭素繊維で被覆した照明ピース。
【発明の詳細な説明】
【技術分野】
【０００１】
本願発明は、平面又は立体照明設備並びに当該照明設備を構成する照明ピースに関するものである。
【背景技術】
【０００２】
プリント回路基板上に光源を備えた単位基板を複数組み合わせてなる面状光源装置の発明は、存在する（例えば、特許文献１）。
【先行技術文献】
【特許文献】
【０００３】
【特許文献１】特開２００６−２２１９６６号公報
【発明の概要】
【発明が解決しようとする課題】
【０００４】
上述した面状光源装置は、任意の形状への成形が容易で、かつ最低限の電気配線で動作させることができる照明設備と考えることができるが、さらに拡張又は縮小が簡単になる照明設備、並びに、製造及び保守がより容易になる照明設備を追求し本願発明に至った。
【０００５】
そこで、拡張又は縮小がより簡単に行え、保守及び製造も容易となる照明設備を提供することを課題とした。
【０００６】
また、当該照明設備の拡張又は縮小（増減）がより簡単に行え、保守（交換）及び製造も容易となる照明ピースを提供することを課題とした。
【課題を解決するための手段】
【０００７】
本願発明は、上述の課題を解決するために、所定の照明ピースを複数個接合して一体化した照明設備であって、正方形形状のプリント回路基板と、前記プリント回路基板上の一方の面の各側辺縁端部に配置する正電極部及び負電極部と、前記プリント回路基板上の一方の面に搭載する光源とからなる第１の照明ピースと、所定の多角形状のプリント回路基板と、前記プリント回路基板の一方の面の各側辺縁端部に配置する正電極部及び負電極部と、当該プリント回路基板上に搭載する光源とからなり、前記第１の照明ピースを構成するプリント回路基板の隣接位置に前記第２の照明ピースを構成するプリント回路基板を並べた場合に正電極部及び負電極部が対向する位置に配設されている第２の照明ピースと、前記第１の照明ピースと前記第２の照明ピースの正電極部相互間及び負電極部相互間を直接又は間接的に接合する照明ピース接合体と、を少なくとも備える照明設備を提供する。
【０００８】
また、本願発明は、上述の課題を解決するために、所定の照明ピースを複数個接合して一体化した照明設備であって、正方形形状のプリント回路基板と、前記プリント回路基板上の一方の面の各側辺縁端部に配置する正電極部及び負電極部と、前記プリント回路基板上の一方の面に搭載する光源とからなる第１の照明ピースと、所定の正方形形状のプリント回路基板と、前記プリント回路基板の一方の面の各側辺縁端部に配置する正電極部及び負電極部と、当該プリント回路基板上に搭載する光源とからなり、前記第１の照明ピースを構成するプリント回路基板の隣接位置に前記第２の照明ピースを構成するプリント回路基板を並べた場合に正電極部及び負電極部が対向する位置に配設されている第２の照明ピースと、前記第１の照明ピースと前記第２の照明ピースの正電極部相互間及び負電極部相互間を直接又は間接的に接合する照明ピース接合体と、を少なくとも備え、前記第２の照明ピースを構成するプリント回路基板の形状を、前記第１の照明ピース１を構成するプリント回路基板と同一の正方形形状とし、かつ、前記第１の照明ピースを構成するプリント回路基板の一側辺に配設された前記正電極部の延長線上の対向位置に当該正電極部とは異なる他の正電極部を配設した照明設備を提供する。
【０００９】
また、本願発明は、上述の課題を解決するために、所定の照明ピースを複数個接合して一体化した照明設備であって、正方形形状のプリント回路基板と、前記プリント回路基板上の一方の面の各側辺縁端部に配置する正電極部及び負電極部と、前記プリント回路基板上の一方の面に搭載する光源とからなる第１の照明ピースと、所定の正方形形状のプリント回路基板と、前記プリント回路基板の一方の面の各側辺縁端部に配置する正電極部及び負電極部と、当該プリント回路基板上に搭載する光源とからなり、前記第１の照明ピースを構成するプリント回路基板の隣接位置に前記第２の照明ピースを構成するプリント回路基板を並べた場合に正電極部及び負電極部が対向する位置に配設されている第２の照明ピースと、前記第１の照明ピースと前記第２の照明ピースの正電極部相互間及び負電極部相互間を直接又は間接的に接合する照明ピース接合体と、を少なくとも備え、前記第２の照明ピースを前記第１の照明ピースと同一としかつ照明設備を構成する照明ピースのすべてを第１の照明ピースと同一とした照明設備を提供する。
【００１０】
また、本願発明は、上述の課題を解決するために、正方形形状のプリント回路基板と、前記プリント回路基板上の一方の面の各側辺縁端部に配置する正電極部及び負電極部と、前記プリント回路基板上の一方の面に搭載する光源とからなる第１の照明ピースのみ（なお、第１の照明ピースと第２照明ピースは同一である。）を前記照明ピース接合体で複数個接合した照明設備を提供する。
【００１１】
また、本願発明は、上述の課題を解決するために、所定の照明ピースを複数個接合して一体化した照明設備であって、正方形形状のプリント回路基板と、前記プリント回路基板上の一方の面の各側辺縁端部に配置する正電極部及び負電極部と、前記プリント回路基板上の一方の面に搭載する光源とからなる第１の照明ピースと、所定の多角形状のプリント回路基板と、前記プリント回路基板の一方の面の各側辺縁端部に配置する正電極部及び負電極部と、当該プリント回路基板上に搭載する光源とからなり、前記第１の照明ピースを構成するプリント回路基板の隣接位置に前記第２の照明ピースを構成するプリント回路基板を並べた場合に正電極部及び負電極部が対向する位置に配設されている第２の照明ピースと、前記第１の照明ピースと前記第２の照明ピースの正電極部相互間及び負電極部相互間を直接又は間接的に接合する照明ピース接合体と、を少なくとも備え、前記第２の照明ピースを前記第１の照明ピースに隣接させて並べ、前記第１の照明ピースと前記第２の照明ピースの正電極部相互間及び負電極部相互間を直接前記照明ピース接合体で接合した照明設備を提供する。
【００１２】
また、本願発明は、上述の課題を解決するために、所定の照明ピースを複数個接合して一体化した照明設備であって、正方形形状のプリント回路基板と、前記プリント回路基板上の一方の面の各側辺縁端部に配置する正電極部及び負電極部と、前記プリント回路基板上の一方の面に搭載する光源とからなる第１の照明ピースと、所定の多角形状のプリント回路基板と、前記プリント回路基板の一方の面の各側辺縁端部に配置する正電極部及び負電極部と、当該プリント回路基板上に搭載する光源とからなり、前記第１の照明ピースを構成するプリント回路基板の隣接位置に前記第２の照明ピースを構成するプリント回路基板を並べた場合に正電極部及び負電極部が対向する位置に配設されている第２の照明ピースと、前記第１の照明ピースと前記第２の照明ピースの正電極部相互間及び負電極部相互間を直接又は間接的に接合する照明ピース接合体と、を少なくとも備え、前記第２の照明ピースを前記第１の照明ピースに隣接させずに配設し、前記第１の照明ピースと前記第２の照明ピースの正電極部相互間及び負電極部相互間を間接的に前記照明ピース接合体で接合した照明設備を提供する。
【００１３】
また、本願発明は、上述の課題を解決するために、前記いずれかの照明設備を構成する照明ピースを提供する。
【００１４】
また、本願発明は、上述の課題を解決するために、前記いずれかの照明設備を構成する照明ピースのプリント回路基板の表面及び裏面を炭素繊維で被覆した照明ピースを提供する。
【発明の効果】
【００１５】
本願発明の照明設備は、正電極部及び負電極部が対向する位置に配設されている、正方形形状の第１の照明ピース及び所定の第２の照明ピースを所定の照明ピース接合体で接合して一体化した照明設備であるため、拡張又は縮小がより簡単に行え、保守及び製造も容易である。
【００１６】
また、本願発明の照明設備は、前記第２の照明ピースを構成するプリント回路基板の形状を、前記第１の照明ピース１を構成するプリント回路基板と同一の正方形形状とし、かつ、第１の照明ピースを構成するプリント回路基板の一側辺に配設された正電極部の延長線上の対向位置に他の正電極部を配設したため、拡張又は縮小がより簡単に行え、保守及び製造もより容易となる。
【００１７】
また、本願発明の照明設備は、前記第２の照明ピースを前記第１の照明ピースと同一としかつ照明設備を構成する照明ピースのすべてを第１の照明ピースと同一としたため、拡張又は縮小がより簡単に行え、保守及び製造もより容易である（特に、保守性に優れる）。
【００１８】
また、本願発明の照明設備は、前記第１の照明ピースのみからなるため、拡張又は縮小がより簡単に行え、保守及び製造もより容易である（さらに保守性が向上する）。
【００１９】
また、本願発明の照明設備は、前記第２の照明ピースを前記第１の照明ピースに隣接させて並べ、前記第１の照明ピースと前記第２の照明ピースの正電極部相互間及び負電極部相互間を直接前記照明ピース接合体で接合したため、拡張又は縮小がより簡単に行え、保守及び製造も容易である。
【００２０】
また、本願発明の照明設備は、前記第２の照明ピースを前記第１の照明ピースに隣接させずに配設し（隣接位置には光源を搭載しない中継プリント基板を並べて接合する）、前記第１の照明ピースと前記第２の照明ピースの正電極部相互間及び負電極部相互間を間接的に前記照明ピース接合体で接合したため、拡張又は縮小がより簡単に行え、保守及び製造も容易である。
【００２１】
本願発明の照明ピースは、前記いずれかの照明設備を構成する照明ピースであり、当該照明設備の拡張又は縮小（増減）がより簡単に行え、保守（交換）及び製造も容易となる。
【００２２】
また、本願発明の照明ピースは、照明ピースを構成するプリント回路基板の表裏面を炭素繊維で被覆した照明ピースであるため、当該照明ピース自体の強度を増すことを可能とする。
【図面の簡単な説明】
【００２３】
【図１】図１は実施例１の平面照明設備の全体構成を示す平面図である。
【図２】図２は第１の照明ピースの表面側構成を示す平面図である。
【図３】図３は第１の照明ピースの裏面側構成を示す平面図である。
【図４】図４は第１の照明ピースの電気的接続を示す説明図である。
【図５】図５は照明ピースの変形例を示す側面図である。
【図６】図６は実施例１の平面照明設備の接合（製造）方法を示す説明である。
【図７】図７は実施例２の立体照明設備の全体構成を示す平面図である。
【図８】図８は実施例２の立体照明設備を左方向からみた外観図である。
【発明を実施するための形態】
【００２４】
所定の照明ピースを複数個接合して一体化した平面的又は立体的な照明設備として実施する。
【実施例１】
【００２５】
まずは、照明設備の構成について、図１から図５に従い説明する。
【００２６】
照明設備（１）は、正方形形状の第１の照明ピース（１０）と、前記第１の照明ピースの下方側に並べて配設した第２の照明ピース（２０）と、前記第２の照明ピースの右方側に並べて配設した第３の照明ピース（３０）と、前記第３の照明ピースの右方側に並べて配設した第４の照明ピース（４０）と、前記第４の照明ピースの下方側に並べて配設した第５の照明ピース（５０）と、隣接位置の照明ピース相互間の正電極間又は負電極間を電気的及び構造的に直接接合した照明ピース接合体（６０）と、で構成する（図１）。
【００２７】
また、前記第１の照明ピース（１０）は、所定の電気的な接続を施した１２ミリメートル四方の正方形形状のプリント回路基板（１１０）上の一方の面の各側辺寄りの縁端部に配置する正電極部（１２０）及び負電極部（１３０）と、前記プリント回路基板上の一方の面の四方の角寄り搭載された光源（１４０）と、で構成する（図１）。
【００２８】
前記正電極部（１２０）及び負電極部（１３０）の形状について、矩形の一方（プリント回路基板の端部側）が開放されたＵ字形状としている（図１及び図２）。
【００２９】
前記正電極部（１２０）及び負電極部（１３０）の詳細位置について、前記プリント回路基板（１１０）の下側辺の左端部から当該電極部１個分程度のスペースを開けて第１の正電極部（１２１）を配置し、前記プリント回路基板の下側辺の右端部から当該電極部２個分程度のスペースを開けて第１の負電極部（１３１）を配置している（図２）。
【００３０】
同様に、前記プリント回路基板（１１０）の右側辺の下端部から当該電極１個分程度のスペースを開けて第２の正電極部（１２２）を配置し、前記プリント回路基板の右側辺の上端部から当該電極２個分程度のスペースを開けて第２の負電極部（１３２）を、前記プリント回路基板の上側辺の左端部から当該電極１個分程度のスペースを開けて第３の正電極部（１２３）を配置し、前記プリント回路基板上側辺の右端部から当該電極２個分程度のスペースを開けて第３の負電極部（１３３）を、前記プリント回路基板の左側辺の下端部から当該電極１個分程度のスペースを開けて第４の正電極部（１２４）を配置し、前記プリント回路基板の左側辺の上端部から当該電極２個分程度のスペースを開けて第４の負電極部（１３４）を配置している（図２）。
【００３１】
上述したとおり、前記プリント回路基板（１１０）上の一方の面の各側辺に配置された正電極部（１２０）及び負電極部（１３０）の位置関係は、前記第１の正電極部（１２１）の延長線上の対向位置に前記第３の正電極部（１２３）が配置され、前記第１の負電極部（１３１）の延長線上の対向位置に前記第３の負電極部（１３３）が配置され、前記第２の正電極部（１２２）の延長線上の対向位置に前記第４の正電極部（１２４）を配置され、前記第２の負電極部（１３２）の延長線上の対向位置に前記第４の負電極部（１３４）が配置されているという位置関係である（図２）。
【００３２】
前記の位置関係とすることにより、同列上（延長線上の対向位置）に電極が存在することになり、正電極部相互間又は負電極部相互間の接合あるいは導電がいずれの方向からでも可能となるとともに、正電極部と負電極部の位置を前記プリント回路基板のセンターから対称にしないことにより、誤接続を防止している。
【００３３】
前記光源（１４０）について、ＬＥＤ光源を使用している。
【００３４】
なお、前記第１の照明ピース（１０）を構成する前記プリント回路基板（１１０）の他方の面（裏面）には、光源を搭載していない（図３）。
【００３５】
また、前記第２の照明ピース（２０）は、所定の電気的な接続を施した１２ミリメートル四方の正方形形状のプリント回路基板（２１０）上の一方の面の各側辺寄りの縁端部に配置するプリント回路基板の端部側が開放されたＵ字形状である正電極部（２２０）及び負電極部（２３０）と、前記プリント回路基板上の一方の面の四方の角寄り搭載されたＬＥＤ光源（２４０）と、で構成する（図１）。なお、本実施例の前記第２の照明ピース（２０）は、前記第１の照明ピース（１０）と同一のものを使用している。
【００３６】
前記第２の照明ピースを構成するプリント回路基板（２１０）の形状について、前記第１の照明ピースと隣接位置に並べた場合に正電極部相互間及び負電極相互間を容易に直接接合可能な形状又は前記第１の照明ピースと隣接しない位置に配設した場合に正電極部相互間及び負電極相互間を間接的に接合可能な形状であれば許容しうるが、前記第１の照明ピースを構成するプリント回路基板（１１０）と同一サイズの正方形形状である方が好ましい。
【００３７】
前記第２の照明ピースを構成するプリント回路基板の前記正電極部（２２０）及び前記負電極部（２３０）の配置について、前記第１の照明ピースを構成するプリント回路基板の隣接位置に前記第２の照明ピースを構成するプリント回路基板を並べた場合に正電極部及び負電極部が対向する位置に配設されていることを要する。
【００３８】
なお、前記第２の照明ピースを構成するプリント回路基板（２１０）の他方の面（裏面）には、前記第１の照明ピースを構成するプリント回路基板（１１０）と同様に光源を搭載していない（図示せず）。
【００３９】
前記第３の照明ピース（３０）は、当該照明ピース自体の強度を増大させるために、当該第３の照明ピースを構成するプリント回路基板（３１０）の表面及び裏面を炭素繊維（３５０）で被覆（挟持）し強化した照明ピースを使用している（図１及び図５）。
【００４０】
前記第４の照明ピース（４０）及び第５の照明ピース（５０）について、本実施例では、前記第２の照明ピース及び第１の照明ピースと完全同一構成の照明ピースとしている（図１）。
【００４１】
前記照明ピース接合体（６０）とは、電気的及び構造的に結合可能なものであれば良い。本実施例では、両端部に円形孔を有し長方形状の導電性接合片（６１）と、前記接合片の円形孔に挿通する接合ネジ（６２）とで構成する（図１）。
【００４２】
次に、照明設備の接合（製造）方法について、図６に従い説明する。
【００４３】
第１の照明ピース（１０）の下方側に第２の照明ピース（２０）を並べ、対向する正電極部相互間及び負電極部相互間をそれぞれ接合片（６１）で電気的及び構造的に接続し、接合ネジ（６２）で接合する。
【００４４】
同様に、前記第２の照明ピース（２０）の右方側に第３の照明ピース（３０）を並べ、対向する正電極部相互間及び負電極部相互間をそれぞれ接合片（６１）で電気的及び構造的に接続し、接合ネジ（６２）で接合する。
【００４５】
同様に、前記第３の照明ピース（３０）の右方側に第４の照明ピース（４０）を並べ、対向する正電極部相互間及び負電極部相互間をそれぞれ接合片（６１）で電気的及び構造的に接続し、接合ネジ（６２）で接合する。
【００４６】
同様に、前記第４の照明ピース（４０）の下方側に第５の照明ピース（５０）を並べ、対向する正電極部相互間及び負電極部相互間をそれぞれ接合片（６１）で電気的及び構造的に接続し、接合ネジ（６２）で接合する。
【００４７】
最後に、外部から電源（図示せず）を供給することで、第１の照明ピース（１０）から第５の照明ピース（５０）上に搭載された光源が発光する。
【００４８】
上述したように、第１の照明ピースの隣接位置に第２の照明ピースを並べ、対向する正電極部相互間及び負電極部相互間を接合片（６１）と接合ネジ（６２）からなる照明ピース接合体で電気的及び構造的に接合するだけで、製造が可能となるため、製造が容易である。また、上述したように照明考量、範囲、方向、色彩等を任意に増減あるいは変化させること（拡張又は縮小）が簡単に行える。さらに、仮にＬＥＤ光源が点灯しない等の故障が生じた場合であっても、照明ピース単位で交換が簡単に行えるため、保守も容易となる。
【実施例２】
【００４９】
実施例２の照明設備は、実施例１の照明設備を構成する照明ピースを立体的に組み合わせて電気的及び構造的に結合した照明設備であり、その構成について図７及び図８に従い説明する。
【００５０】
照明設備（１）は、正方形形状の第１の照明ピース（１０）と、前記第１の照明ピースの表面下方側に並べて配設した第２の照明ピース（２０）及び裏面下方側に配設した第３の照明ピース（３０）と、前記第３の照明ピースの裏面右方側に並べて配設した第４の照明ピース（４０）と、隣接位置の照明ピース相互間の正電極間又は負電極間を電気的及び構造的に直接接合した照明ピース接合体（６０）と、で構成する（図７）。
【００５１】
なお、前記第１の照明ピースから前記第４の照明ピース（１０、２０、３０、４０）の発光方向を図７で示すとともに、本実施例の立体照明設備を左方向からみた場合の外観図を図８で示した（図７及び図８）。
【産業上の利用可能性】
【００５２】
本願発明の照明設備は、拡張性や保守性に優れるとともに、製造も容易であるので、産業上の利用可能性を有する。
【符号の説明】
【００５３】
１          照明設備
１０        第１の照明ピース
１１０      プリント回路基板
１２０      正電極部
１２１      第１の正電極部
１２２      第２の正電極部
１２３      第３の正電極部
１２４      第４の正電極部
１３０      負電極部
１３１      第１の負電極部
１３２      第２の負電極部
１３３      第３の負電極部
１３４      第４の負電極部
１４０      光源（ＬＥＤ光源）
２０        第２の照明ピース
２１０      プリント回路基板
２２０      正電極部
２３０      負電極部
２４０      光源（ＬＥＤ光源）
３０        第３の照明ピース
３１０      プリント回路基板
３５０      炭素繊維
４０        第４の照明ピース
５０        第５の照明ピース
６０        照明ピース接合体
６１        接合片
６２        接合ネジ
【図１】
2017157450.tif 000003
【図２】
2017157450.tif 000004
【図３】
2017157450.tif 000005
【図４】
2017157450.tif 000006
【図５】
2017157450.tif 000007
【図６】
2017157450.tif 000008
【図７】
2017157450.tif 000009
【図８】
2017157450.tif 000010